(57)【要約】  加熱庫を開閉するドア内に設けられた回路基板を十分に冷却できる加熱調理器を提供すること。加熱調理器の加熱庫を開閉するドア（３）内に回路基板（３１ｊ）が設けられ、回路基板（３１ｊ）の、表示操作部（５）に対向する面と反対側の面の少なくとも１部が重なるようにダクト（４０）が設けられている。
2019235003.tif 000002
【特許請求の範囲】
【請求項１】
加熱庫の開口部を開閉する開閉扉を備えた加熱調理器において、
上記開閉扉の前面に操作部が設けられると共に、当該開閉扉内に上記操作部から操作を受付けて各種処理を行う回路基板が設けられ、
上記回路基板の背面の少なくとも１部に重なるようにダクトが設けられていることを特徴とする加熱調理器。
【請求項２】
上記ダクト内に冷却風を送り込むための送風部がさらに設けられていることを特徴とする請求項１に記載の加熱調理器。
【請求項３】
上記ダクトの排出口は、上記加熱調理器の外部に冷却風を排出する排出口であることを特徴とする請求項２に記載の加熱調理器。
【請求項４】
上記ダクト内の送風路は、上記排出口の手前で狭められていることを特徴とする請求項３に記載の加熱調理器。
【請求項５】
上記開閉扉が上記加熱庫の開口部を閉じた状態で、少なくとも上記回路基板の一部が上記開口部とオーバーラップするように、当該回路基板が配置されていることを特徴とする請求項１〜４の何れか１項に記載の加熱調理器。
【発明の詳細な説明】
【技術分野】
【０００１】
本発明は、加熱庫の扉内に回路基板が設けられた加熱調理器に関する。
【背景技術】
【０００２】
特許文献１には、操作部および操作部の操作を受けて各種処理を行う回路基板を加熱庫の開閉扉であるドア内に設けた加熱調理器が提案されている。【０００３】
一般に回路基板は熱に弱いため、特許文献１に開示された加熱調理器では、ドアに設けられた回路基板を冷却する冷却手段をドアに設けることにより、ドアに設けられた回路基板を一定温度以下に維持するようにしている。
【先行技術文献】
【特許文献】
【０００４】
【特許文献１】日本国公開特許公報「特開２００８−２２４０８１号公報」
【発明の概要】
【発明が解決しようとする課題】
【０００５】
ところで、ドア内に設けられた回路基板は、加熱調理中、加熱庫からの輻射熱により加熱される。このため、特許文献１に開示された加熱調理器のように、ドアの表面に設けられた操作ボタンと、ドア内における回路基板との間に生じる隙間に冷却風を循環させて当該回路基板を冷却させる構成では、回路基板収容部に冷却風が循環されるものの、回路基板収容部の操作ボタンと反対側の面（加熱調理中に加熱庫からの輻射熱を受ける面）には冷却風が当たらない。【０００６】
従って、特許文献１に開示された加熱調理器では、ドア内に設けられた回路基板の加熱庫側の面に対する輻射熱の遮蔽が十分でなく、当該回路基板の冷却が十分に行えていない為、回路部品の寿命や、マイコンの誤動作などの問題が生じる恐れがある。【０００７】
本発明の一態様は、加熱庫を開閉するドア内に設けられた回路基板の冷却を十分に行える加熱調理器を提供することを目的とする。
【課題を解決するための手段】
【０００８】
上記の課題を解決するために、本発明の一態様に係る加熱調理器は、加熱庫の開口部を開閉する開閉扉を備えた加熱調理器において、上記開閉扉の前面に操作部が設けられると共に、当該開閉扉内に上記操作部から操作を受付けて各種処理を行う回路基板が設けられ、上記回路基板収容部の背面の少なくとも１部に重なるようにダクトが設けられていることを特徴とする。
【発明の効果】
【０００９】
本発明の一態様によれば、加熱庫を開閉する開閉扉内に設けられた回路基板の冷却を十分に行うことができるという効果を奏する。
【図面の簡単な説明】
【００１０】
【図１】本発明の実施形態１に係る加熱調理器の正面図である。
【図２】図１に示す加熱調理器のドアの斜視図である。
【図３】図２に示すドアの分解斜視図である。
【図４】（ａ）は図２に示すドアのＡＡ線矢視断面図であり、（ｂ）は（ａ）の簡略図である。
【図５】図４に示す断面図のＢＢ線矢視断面図である。
【図６】本発明の実施形態２に係る加熱調理器のドアの概略図である。
【図７】本発明の実施形態３に係る加熱調理器の概略断面図である。
【発明を実施するための形態】
【００１１】
〔実施形態１〕
以下、本発明の一実施形態について、詳細に説明する。
【００１２】
＜加熱調理器の概略説明＞
図１は、本実施形態の加熱調理器１の正面図であり、（ａ）はドア（開閉扉）３を閉めた状態を、（ｂ）はドア３を開けた状態を示す。加熱調理器１は、マイクロ波を発生するマグネトロン（図示しない）を備え、加熱調理として電子レンジ調理を行う加熱調理器である。加熱調理器１は、電子レンジ調理機能に加えてオーブン調理機能等を有していてもよい。
【００１３】
図１に示すように、加熱調理器１は、直方体形状のケーシング２と、ドア３とを備え、ケーシング２で囲まれる空間が、被加熱物を収容するための加熱庫２ａとなっている。なお、マグネトロンはケーシング２内部（例えば、加熱庫２ａを挟んでドア３と反対側）に備えられている。
【００１４】
ドア３は、加熱庫２ａの開口部２ｂを開閉するための開閉扉であり、加熱庫２ａと対向する位置に配置される窓（窓部）３ａと、窓３ａを囲むフレーム（枠部）３ｂとを備える。窓３ａには加熱庫２ａを覗けるように、耐熱ガラスあるいは耐熱性の透明樹脂が嵌め込まれている。フレーム３ｂは、非金属材料、例えば、樹脂から形成されている。
【００１５】
ドア３は、加熱庫２ａを開閉可能に設けられており、下端の辺を略中心に回動し、上側にはドア３を開閉するためのユーザ補助としてハンドル４が取り付けられている。本実施形態では、ドア３の開閉は、ドア３の下端側の辺を略中心に回動して行われる構成であるが、これに限定されず、例えば、ドア３の左端または右端の辺を中心に回動してドア３が開閉する構成であってもよい。ドア３の詳細については、後述する。
【００１６】
また、ドア３の加熱庫２ａと対向する面に、加熱庫２ａの入り口の開口部２ｂを覆うサイズのシールド材料（図示せず）が形成されている。
【００１７】
加熱調理器１は、さらに、当該加熱調理器１に関する各種情報等を表示し、当該加熱調理器１への操作を受け付けるための表示操作部５がドア３の前面に設けられている。表示操作部５には、ダイヤル６やボタン７および操作情報等の各種情報を表示する表示パネル８が設けられている。なお、表示操作部５は、ダイヤル６やボタン７等の物理的な部材を使用しない、例えば、タッチパネルとして構成されていてもよい。
【００１８】
次に、ドア３の詳細な構造について説明する。
【００１９】
＜ドア３の概要＞
図２は、ドア３の斜視図を示し、図３は、ドア３の分解斜視図を示す。
【００２０】
ドア３は、図２に示すように、窓３ａの下側に表示操作部５を設けるためのパネル部３１ａを備えている。詳細には、ドア３は、パネル部３１ａの他、図３に示すように、表示操作部５のダイヤル６を構成するスタートボタン３１ｂおよびエンコーダボタン３１ｃ、パネル格子３１ｄ、ボタン支持軸３１ｅ、選択ボタン（Ｂ）３１ｆ、キャンセルボタン３１ｇ、選択ボタン（Ａ）３１ｈ、送風ファン３１ｉ、回路基板３１ｊ、外ドアガラス３１ｋ、送風路板３１ｌ、ガラスストッパ３１ｍ、ドア支持部材３１ｎ、ドアサブフレーム３１ｏ、ドアパッキング３１ｐ、ドアカバー３１ｑからなっている。
【００２１】
上記構成のドア３は、内部に回路基板３１ｊが設けられた構造となっている。この回路基板３１ｊは、表示操作部５からの操作を受付けて加熱調理器１における調理等の各種処理を行うための操作基板である。一般に、回路基板３１ｊは熱に弱い。通常、加熱調理器１における調理中はメニューにより加熱庫２ａ内の温度が３００℃くらいになる。このため、本実施形態に係る加熱調理器１は、回路基板３１ｊを冷却するための冷却機構を備えている。
【００２２】
＜回路基板３１ｊの冷却機構＞
図４の（ａ）は、図２のＡＡ線矢視断面図であり、（ｂ）は、（ａ）を簡略化した図である。図５は、図４のＢＢ線矢視断面図である。
【００２３】
回路基板３１ｊの背面（表示操作部５が設けられている面と反対側の面）に、送風路板３１ｌによって形成されたダクト４０が形成されている。送風路板３１ｌは、断面略コ字状であり、フレーム（枠部）３ｂにおいて回路基板３１ｊの長手方向に沿った方向に凹部側を向けて設置して、冷却風が流れる送風路となる空間を有するダクト４０を形成する。なお、送風路板３１ｌは、金属基板で構成されている。
【００２４】
ダクト４０は、一方の端部の供給口４０ａから送風ファン３１ｉからの冷却風を導入し、他方の端部の排出口４０ｂ（図６）から当該ダクト４０を流れた冷却風を排出するようになっている。これにより、ダクト４０を流れる冷却風により回路基板３１ｊの収容部背面側（加熱室側）が冷却される。また、送風ファン３１ｉからの冷却風は、ダクト４０の供給口４０ａだけでなく、回路基板３１ｊの収容部側にも流れるように構成されている。これにより、回路基板３１ｊの表面および裏面側も冷却される。つまり、送風ファン３１ｉにより、ドア３の左下部（送風ファン３１iの下部）に設けられた吸入口（図示せず）から吸気した冷却風は、回路基板３１ｊの表面および裏面、さらにダクト４０に流れる。回路基板３１ｊの表面および裏面を流れた冷却風は、ドア３の右下部（仕切板１４１の下部）に設けられた排気孔３ｄ（図６）からドア３の外に排出され、ダクト４０を流れた冷却風は、前記排気孔とは別に設けられた排気口４０ｂ（図６）からドア３の外に排出される。
【００２５】
なお、ダクト４０は、回路基板３１ｊの背面の少なくとも１部が重なるように形成されていればよいが、回路基板３１ｊの背面の全面に形成されているのが、冷却効率の面から好ましい。
【００２６】
以上のように、送風ファン３１ｉ、ダクト４０、排気孔３ｄによって回路基板３１ｊを冷却するための冷却機構を構成している。
【００２７】
＜効果＞
上記構成の加熱調理器１は、ドア３内に回路基板３１ｊが設けられ、回路基板３１ｊの背面、すなわち表示操作部５に対向する面と反対側の面（ドア３を閉じたときに加熱庫２ａに対向する面）の少なくとも１部が重なるようにダクト４０が設けられている。このダクト４０の内部は空間になっているので、当該ダクト４０によって加熱庫２ａからの熱を遮蔽することができる。このように、加熱庫２ａからの輻射熱は、ダクト４０によって遮蔽されるため、回路基板３１ｊの温度が上がるのを抑制することができる。従って、回路基板３１ｊの冷却を十分に行えるという効果を奏する。
【００２８】
さらに、加熱調理器１には、ダクト４０内に冷却風を送り込む送風部である送風ファン３１ｉが設けられている。これにより、送風ファン３１ｉによって発生する冷却風がダクト４０内に送風されることになるため、回路基板３１ｊの背面の冷却効率をさらに高めることができる。しかも、送風ファン３１ｉによって発生する冷却風は、回路基板３１ｊの表面、すなわち表示操作部５側の面および裏面にも送風されるようになっている。これにより、回路基板３１ｊは、表面および裏面の冷却が行われることになるので、当該回路基板３１ｊの冷却効率をさらに向上させることができる。
【００２９】
また、ダクト４０の排出口４０ｂは、加熱調理器１の外部に冷却風を排出する排出口であり、仕切板１４１の下部に形成されている。
【００３０】
これにより、ダクト４０を流れる冷却風は、排出口４０ｂからドア３の外部に排出される。つまり、送風ファン３１ｉは、常に新鮮な冷却風をダクト４０に送り続けることができるため、回路基板３１ｊの冷却効率をさらに高めることができる。
【００３１】
しかも、回路基板３１ｊの表面および裏面を通った冷却風も、排気孔３ｄからドア３の外部に排出されるので、回路基板３１ｊは表面および裏面の冷却効率をさらに高めることができる。
【００３２】
回路基板３１ｊの冷却効率を高めるためには、冷却風は、ダクト４０内で常に流れている状態が好ましく、当該ダクト４０内で留まるのは好ましくない。以下の実施形態２では、ダクト４０に送り込まれた冷却風が、当該ダクト４０内で留まらないようにする例について説明する。
【００３３】
〔実施形態２〕
本発明の他の実施形態について図６に基づいて説明すれば、以下の通りである。なお、説明の便宜上、前記実施形態にて説明した部材と同じ機能を有する部材については、同じ符号を付記し、その説明を省略する。
【００３４】
図６は、本実施形態の加熱調理器におけるドア３を示し、（ａ）は正面図、（ｂ）は背面図である。なお、説明の便宜上、ドア３の正面図では、パネル格子３１ｄが取り外され、送風ファン３１ｉが露出した状態、背面図では、ダクト４０が取り外された状態を示している。
【００３５】
ドア３は、前記実施形態１と同様に、送風ファン３１ｉからの冷却風がダクト４０の供給口４０ａから導入され、排出口４０ｂからドア３の外部に排出される。
【００３６】
さらに、ダクト４０の排出口４０ｂの近傍には、当該ダクト４０における送風路の上流側よりも下流側の幅を狭めるための仕切板１４１が形成されている。つまり、ダクト４０内の送風路は、排出口４０ｂの手前で狭められている。これにより、ダクト４０内を流れる冷却風に係る圧力は、排出口４０ｂ付近で送風路が狭まっていることで高くなるので、冷却風の流速は排出口４０ｂ付近で速くなる。この結果、送風ファン３１ｉからの冷却風は、ダクト４０内で滞ることなく排出口４０ｂから外部に適宜排出される。従って、回路基板３１ｊの背面には常に新しい冷却風が流れるため、当該回路基板３１ｊの背面を効率良く冷却することができる。
【００３７】
〔実施形態３〕
本発明のさらに他の実施形態について図７に基づいて説明すれば、以下の通りである。なお、説明の便宜上、前記実施形態にて説明した部材と同じ機能を有する部材については、同じ符号を付記し、その説明を省略する。
【００３８】
図７は、本実施形態の加熱調理器２０１の側断面図である。
【００３９】
加熱庫２０２ａの輻射熱は、開口部２０２ｂからドア２０３内の回路基板２３１ｊに伝わる。このため、回路基板２３１ｊは、ドア２０３内において加熱庫２０２ａからの輻射熱の影響を少なくするために、一般には、開口部２０２ｂから遠い位置に配置するのが好ましい。
【００４０】
しかしながら、本実施形態の加熱調理器２０１では、回路基板２３１ｊの背面側（加熱庫２０２ａ側）にダクト２４０が設けられているので、回路基板２３１ｊは加熱庫２０２ａからの輻射熱の影響を受けにくい。従って、加熱調理器２０１は、図７に示すように、ドア２０３がケーシング２０２内の加熱庫２０２ａの開口部２０２ｂを閉じた状態で、当該ドア２０３内に設けられた回路基板２３１ｊが開口部２０２ｂと少なくとも一部オーバーラップ（図中のＯＬ部分）するように配置してもよい。この場合、ダクト２４０も、回路基板２３１ｊと同様に、ケーシング２０２の開口部２０２ｂと少なくとも一部オーバーラップするように配置されている。ダクト２４０は、回路基板２３１ｊの背面側を全体的にカバーするように配置するのが好ましいが、少なくとも回路基板２３１ｊが開口部２０２ｂとオーバーラップしている部分をカバーするように配置するのが好ましい。
【００４１】
従って、回路基板２３１ｊの背面側にダクト２４０を設けていれば、回路基板２３１ｊの配置位置はドア２０３内のどの位置であってもよい。
【００４２】
このように、加熱調理器２０１において回路基板２３１ｊを設けるためのスペース的な制約がなくなるので、当該加熱調理器２０１の設計の自由度が増し、デザイン性を重視し、且つ省スペース化を図ることが可能となり、結果として、製造にかかるコストの削減も可能とする。
【００４３】
なお、前記実施形態１〜３においては、加熱庫内の輻射熱や、周囲温度を効率的に遮断できるため、本発明を適用できる加熱調理器としては電子レンジの他に、加熱庫と開閉扉を有する加熱調理器であればどのようなものであってもよく、例えばオーブン等であってもよい。
【００４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４５】
１  加熱調理器
２ａ  加熱庫
２ｂ  開口部
３  ドア（開閉扉）
３ｄ  排気孔
５  表示操作部（操作部）
３１ｉ  送風ファン
３１ｊ  回路基板
３１ｌ  送風路板
４０  ダクト
４０ａ  供給口
４０ｂ  排出口
１４１  仕切板
２０１  加熱調理器
２０２ａ  加熱庫
２０２ｂ  開口部
２０３  ドア（開閉扉）
２３１ｊ  回路基板
２４０  ダクト
【図１】
2019235003.tif 000003
【図２】
2019235003.tif 000004
【図３】
2019235003.tif 000005
【図４】
2019235003.tif 000006
【図５】
2019235003.tif 000007
【図６】
2019235003.tif 000008
【図７】
2019235003.tif 000009
【国際調査報告】
2019235003.tif 000010
2019235003.tif 000011
2019235003.tif 000012